(57)【要約】      （修正有）【課題】強度のある提げ手及びそれを有するカバンを提供する。【解決手段】基部５と、基部の差込口５１を通じて両端部４１，４２が固定されるテープ部４からなるカバンの提げ手である。テープ両端部４１，４２は基部とカバン本体の間で固定され、カバン本体裏側の当て布７と共に糸で縫い合わされている。テープ両端部と共に、肩紐取付具８の取付テープ９も基部とカバン本体の間で固定されて、少なくとも３カ所で固定されていることが好ましい。【選択図】図３
0003190906.tif 000002
【実用新案登録請求の範囲】
【請求項１】
基部（５）と、この基部（５）の差込口（５１）を通じて両端部（４１，４２）が固定されるテープ部（４）からなり、
前記テープ両端部（４１，４２）は前記基部（５）とカバン本体（１０）の間で固定され、このカバン本体（１０）裏側の当て布（７）と共に糸で縫い合わされることを特徴とするカバンの提げ手。
【請求項２】
前記テープ両端部（４１，４２）と共に、肩紐取付具（８）の取付テープ（９）も前記基部（５）とカバン本体（１０）の間で固定されて、少なくとも３カ所で固定されている請求項１記載の提げ手。
【請求項３】
前記テープ部（４）と前記取付テープ（９）が前記当て布（７）と同じ素材からなるものである請求項１又は２記載の提げ手。
【請求項４】
前記取付テープ（９）の両端（９１，９２）が、それぞれ上側又は下側に伸びて、それぞれ前記カバン本体（１０）裏側の前記当て布（７３）と共に固定されている請求項１〜３のいずれかに記載の提げ手。
【請求項５】
前記テープ部（４）又は取付テープ（９）の固定は環縫い（４３）によるものである請求項１〜４のいずれかに記載の提げ手。
【請求項６】
前記基部（５）とカバン本体（１０）の間で物理的に可能な限り熱溶着面積を増やすようにした請求項１〜５のいずれかに記載の提げ手。
【請求項７】
請求項１〜６のいずれかに記載の提げ手を有するカバン（１）。
【考案の詳細な説明】
【技術分野】
【０００１】
本考案は、カバンの提げ手に関し、特に重量物を運搬するのに適した、強度のある提げ手及びそれを有するカバンに関する。
【背景技術】
【０００２】
添付の図１、図２に示すカバンは、本出願人が意匠登録出願中で、現在未公開のカバンである。このカバンは、開口部において、先端部を芯にして巻き取るようくるめ、面ファスナで閉じることができるものである。肩紐を使用して背中に背負うことができると共に、上部にある提げ手を使用して手で持ち上げることもできる。
【先行技術文献】
【特許文献】
【０００３】
【特許文献１】意願２０１３―２９７０４
【考案の概要】
【考案が解決しようとする課題】
【０００４】
上記カバンは、防水布で製造することにより全体が防水型となっており、濡れた衣類なども収容できる。決して推奨する使用法ではないが、野外の行楽時などに、このカバンに水などの重量物を入れてバケツ代わりに使用する人が出てくることが予想される。実験してみると、あまりに重くなると、提げ手がカバン本体からすっぽ抜けるという事態が発生している。
【０００５】
本考案はこの問題を解決するために行われたもので、強度のある提げ手及びそれを有するカバンを提供することを目的とする。
【課題を解決するための手段】
【０００６】
本考案のカバンの提げ手は、基部５と、この基部の差込口５１を通じて両端部４１，４２が固定されるテープ部４からなり、前記テープ両端部４１，４２は前記基部５とカバン本体１０の間で固定され、このカバン本体１０裏側の当て布７と共に糸で縫い合わされることを特徴とする（請求項１）。
【０００７】
好ましくは、前記テープ両端部４１，４２と共に、肩紐取付具８の取付テープ９も前記基部５とカバン本体１０の間で固定し、少なくとも３カ所で固定する（請求項２）。
【０００８】
好ましくは、前記テープ部４及び前記取付テープ９は前記当て布７と同じ素材からなるものとする（請求項３）。
【０００９】
好ましくは、前記肩紐取付具８の取付テープ９の両端９１，９２は、それぞれ上側又は下側に伸びて、それぞれ前記カバン本体１０裏側の前記当て布７３と共に固定される（請求項４）。
【００１０】
好ましくは、前記テープ部４又は取付テープ９の固定は環縫いによるものである（請求項５）。
【００１１】
好ましくは、前記基部５とカバン本体１０の間は物理的に可能な限り熱溶着面積を増やすようにする（請求項６）。
【００１２】
上記それぞれの構成はすべてを組み合わせることもできるとともに、適宜組み合わせることができる。
【考案の効果】
【００１３】
本考案によれば、当て布７の設置（請求項１）、縫い付け個所の増設（請求項２）、テープ部と当て布の素材選定（請求項３）、テープ部４の環縫い（請求項５）、Ｄリング取付テープ９の上下止め（請求項４）、熱溶着面積の増加（請求項６）、等の処置により、非常に強度のある提げ手及びそれを有するカバンが得られる。
【００１４】
以下、添付の図面に基づき、本考案の実施例を説明する。
【図面の簡単な説明】
【００１５】
【図１】本考案の１実施例に係るカバンとその提げ手の側面図である。先端部を芯にして巻き取るようくるめ、面ファスナで閉じた状態を示している。
【図２】上記カバンの（ａ）背面図、（ｂ）正面図、（ｃ）側面図である。先端部が閉じられていない状態を示している。
【図３】上記カバンの提げ手の拡大図であり、（ａ）正面図、（ｂ）背面図、（ｃ）側面図である。
【図４】図３（ａ）のＡ−Ａ断面図である。
【図５】図３（ａ）のＢ−Ｂ断面図である。
【考案を実施するための形態】
【００１６】
図１、図２に示すカバン１は、防水生地を使用し、上部１１が開口した四角柱状の袋（図２）として製造されている。防水生地としては、繊維（例えば、ポリエステル、ポリプロピレン、ナイロン、綿等）の織物を合成樹脂（例えば、軟性ポリ塩化ビニール、ポリウレタン、・ＥＶＡ等）のフィルムでサンドイッチ状に重ねて貼り合わせたターポリン生地が好ましい。その他、防水機能があって耐久性のあるものであればどのような生地でもよい。
【００１７】
背面側（人体側）には肩紐２（図１）が着脱自在に取り付けられると共に提げ手３が取り付けられている。
【００１８】
上部開口１１は、図１に示すように、先端部を芯にして巻き取るようくるめ、カバン表裏の面ファスナ同士６１，６２で接合させて閉じることができる。
【００１９】
本考案の特徴は提げ手３の構造及びカバン本体１０への取付方法にある。
【００２０】
図３に示すように、この提げ手３は基部５と、この基部５の差込口５１を通じて両端部４１，４２が固定されるテープ部４からなる。
【００２１】
テープ部４は、繊維（例えば、ポリエステル、ポリプロピレン、ナイロン、綿等）の織物からなる幅広テープである。幅は２〜４cm程度が好ましい。
【００２２】
基部５は、縦６〜１０cm・横１５〜２０cmで、カバン本体１０と同じ素材からなり、カバン本体１０に対して熱溶着される。テープ端部４１，４２は基部５とカバン本体１０の間で固定され、カバン本体裏側の当て布７（７１，７２）と共に糸で縫い合わされる（図５参照）。当て布７はテープ部４と同じ素材であることが好ましく、縫製は環縫い５４が好ましい。
【００２３】
両端部４１，４２の間には肩紐取付具であるＤリング８が取付テープ９により基部５とカバン本体１０の間で固定されている。取付テープ９はＤリング８で折り返されて二重になっている。その取付テープ９の両端９１，９２は、それぞれ上側又は下側に伸びて、それぞれカバン本体１０裏側の当て布７３と共に糸で縫い合わされる（図４参照）。縫製は環縫い５４が好ましい。
【００２４】
さらに、図３に示すように、テープ差込口５１の上下それぞれにおいて、物理的に可能な範囲で、なるべく多くの場所で熱溶着されることにより、基部５とカバン本体１０とが緊密に接合されている。そのために、熱溶着個所は、図３（ａ）に示すように、ブロック状５２、入江状５３、等、の外観を示している。
【００２５】
本考案では、上記したように、当て布７の設置、縫い付け個所の増設、テープ部と当て布の素材選定、テープ部４の環縫い、Ｄリング取付テープ９の上下止め、熱溶着面積の増加、等の処置により、非常に強度のある提げ手及びそれを有するカバンが得られた。
【符号の説明】
【００２６】
１     カバン
１０   カバン本体
１１   カバン上部開口
２     肩紐
３     提げ手
４     テープ部
４１，４２    両端部
４３  環縫い
５     基部
６１，６２    面ファスナ
５１   テープ差込口
５２   ブロック状
５３   入江状
７（７１，７２，７３）      当て布
８     Ｄリング（肩紐取付具）
９     取付テープ
９１，９２    両端
【図１】
0003190906.tif 000003
【図２】
0003190906.tif 000004
【図３】
0003190906.tif 000005
【図４】
0003190906.tif 000006
【図５】
0003190906.tif 000007